(57)【要約】【課題】  遊技者に対して遊技をする楽しみを与えることが出来る前扉を備えた新規な構造の遊技機を提供することを目的とする。【解決手段】  遊技領域１２を覆うように配設された前扉１４において、遊技領域１２を外部から視認可能とするガラス窓４２の外周側に位置してガラス窓４２を略全周に亘って取り囲む状態で外部から視認可能に配設された環状の回動部材５６が支持手段７２ｂ，ｃによって前扉１４に対して周方向で回動可能に支持せしめられていると共に、かかる支持手段７２ｂ，ｃから独立して構成されて、回動部材５６の重量が実質的に及ぼされない状態で回動部材５６に係わり合い、電動モータ８２の出力軸８４による回転駆動力を回動部材５６に伝達せしめて回動部材５６を周方向に駆動する駆動力伝達機構６６，８８が設けられているようにした。【選択図】      図１
2005095566.tif 000002
【特許請求の範囲】
【請求項１】
遊技機本体に取り付けられて遊技領域を覆うように配設された前扉において、該遊技領域を外部から視認可能とするガラス窓の外周側に位置して該ガラス窓を略全周に亘って取り囲む状態で外部から視認可能に配設された環状の回動部材と、
該回動部材の全重量を担って、該回動部材を前記前扉に対して周方向で回動可能に支持せしめる支持手段と、
回転駆動せしめられる出力軸を備えた電動モータと、
前記支持手段から独立して構成されて、前記回動部材の重量が実質的に及ぼされない状態で該回動部材に係わり合い、前記電動モータの出力軸による回転駆動力を該回動部材に伝達せしめて該回動部材を周方向に駆動する駆動力伝達機構とを、
設けたことを特徴とする遊技機。
【請求項２】
前記駆動力伝達機構が、複数の歯車を用いた伝動機構によって構成されている請求項１に記載の遊技機。
【請求項３】
前記電動モータの前記出力軸が前記前扉の表面と略平行に延びるように、該電動モータを該前扉に対して横方向に向けて取り付けた請求項１又は２に記載の遊技機。
【請求項４】
前記回動部材において周方向の全周に亘って連続して延びるように形成された環状の大歯車と、該大歯車に噛合せしめられて前記電動モータによる回転駆動力が伝達される小歯車が設けられており、それら大歯車と小歯車を含んで前記駆動力伝達機構が構成されている請求項１乃至３の何れかに記載の遊技機。
【請求項５】
前記電動モータから前記回動部材に及ぼされる回動駆動力を制御することにより、遊技状態に応じて該回動部材の回動状態を変化させる作動制御手段を設けた請求項１乃至４の何れかに記載の遊技機。
【請求項６】
前記回動部材における周方向の複数箇所に、可視光線を透過する照明窓を設ける一方、該回動部材で覆われる後方位置に発光源を配設して、該発光源を前記前扉又は前記遊技機本体に対して固定的に取り付けた請求項１乃至５の何れかに記載の遊技機。
【請求項７】
前記回動部材において内周側または外周側に突出して周方向の全周に亘って連続して延びる円環状の鍔部を設ける一方、外周面に開口する周溝を有する支持ローラを該回動部材の周上で少なくとも一つ配設して、該支持ローラを前記前扉の本体で支持せしめると共に、該支持ローラの周溝に該回動部材の該鍔部を入り込ませた請求項１乃至６の何れかに記載の遊技機。
【請求項８】
前記回動部材で覆われる後方位置において前記前扉又は前記遊技機本体に対して装飾体を設ける一方、該回動部材に対してレンチキュラーレンズを設けて、該装飾体を該レンチキュラーレンズを通して遊技者に視認可能にすると共に、該回動部材を前記電動モータおよび前記駆動力伝達機構によって周方向に駆動せしめることで該レンチキュラーレンズの方向を該装飾体の前方において変化せしめるようにした請求項１乃至７の何れかに記載の遊技機。
【請求項９】
前記装飾体が前記発光源を含んで構成されている請求項８に記載の遊技機。
【請求項１０】
前記発光源を複数採用して、前記レンチキュラーレンズの方向をそれら発光源の前方で変化させることにより、少なくとも二つの該発光源の発する光が前記遊技者において重なって見えるようにした請求項９に記載の遊技機。
【請求項１１】
前記回動部材を前方から覆うようにして透明な保護カバーを配すると共に、該保護カバーに対して該回動部材に設けられた前記レンチキュラーレンズとは別のレンチキュラーレンズを設けることによって、該回動部材側のレンチキュラーレンズと該保護カバー側のレンチキュラーレンズを通して前記装飾体を前記遊技者において視認可能にした請求項８乃至１０の何れかに記載の遊技機。
【請求項１２】
前記装飾体と前記回動部材に設けられた前記レンチキュラーレンズとの離隔距離を変更する離隔距離変更手段を備えている請求項８乃至１１の何れかに記載の遊技機。
【発明の詳細な説明】
【技術分野】
【０００１】
本発明は、遊技機に係り、特に、遊技領域を視認可能に覆うガラス窓を備えた前扉において新規な構造を採用することにより遊技者に一層大きな楽しみを与えることの出来る遊技機に関するものである。
【背景技術】
【０００２】
従来から、パチンコ機等の遊技機は、遊技領域を覆うように配設された前扉を備えた構造とされており、かかる前扉に設けられたガラス窓を通じて、遊技領域が外部から視認可能とされている。そして、ガラス窓を通じて視認可能とされた遊技領域には、遊技内容と関連のある図柄や模様が描かれており、それによって、これから遊技をする遊技機を選択する者に対して遊技機を選択する際の指標を提供したり、或いは、遊技をしている者（遊技者）に対して遊技をする楽しみを与えるようになっている。
【０００３】
ところで、遊技領域には、上述の如く、遊技内容と関連のある図柄や模様が描かれて装飾が施されているにも拘わらず、遊技領域を覆うように配設された前扉には、装飾ランプが設けられているだけの場合が多い。そして、前扉に設けられた装飾ランプは、遊技状況に応じて点灯乃至は点滅するだけであることから、ただ単に装飾ランプが設けられた前扉というのは、これから遊技をする遊技機を選択する者に対して遊技機を選択する際の指標を提供するという点において、また、遊技者に対して遊技をする楽しみを与えるという点において、十分でない。
【０００４】
そこで、遊技盤が取り付けられる前枠に回動可能な状態で装着されて、かかる遊技盤を視認可能とするガラス扉枠に対して、遊技盤に設けられた図柄・模様と関連性を有する図柄・模様を設けたパチンコ遊技機が提案されている（特許文献１参照）。このようなパチンコ遊技機においては、遊技盤の図柄・模様をガラス扉枠にまで広げて設けるようにしたので、図柄・模様がパチンコ遊技機の前面にまで広がり臨場感が増大する。
【０００５】
しかしながら、このようなパチンコ遊技機においては、これから遊技をする遊技機を選択する者に対して遊技機を選択する指標を提供する点においては有効であっても、遊技者に対して遊技をする楽しみを与えるという点においては、十分でない。即ち、単にガラス扉枠に図柄や模様を設けただけでは、その図柄や模様に慣れてしまうと殆ど目に入らない状態となってしまい、遊技者に対して楽しみを与えるという効果が比較的早期に発揮されなくなってしまうのである。
【０００６】
また、遊技盤が取り付けられる前枠に回動可能な状態で装着されて、遊技盤を視認可能とするガラス扉枠の下方において、前枠に回動可能な状態で装着された前皿部扉を備えており、かかる前皿部扉に対して可動部を設けると共に、該可動部に対して運動を付与する運動付与装置を設けた遊技機が提案されている（特許文献２参照）。
【０００７】
しかしながら、このような遊技機においては、可動部がソレノイドによって駆動せしめられるようになっており、それに伴って、可動部が往復移動せしめられるようになっていることから、可動部の可動範囲が狭くなってしまい、その結果、可動物を動かしたとしても、その動きが余り目に付かず、遊技者に対して遊技をする楽しみを与えるという点において十分でない。
【０００８】
【特許文献１】特開２０００−１４０３３７号公報
【特許文献２】特開２００２−１１３２２６号公報
【発明の開示】
【発明が解決しようとする課題】
【０００９】
ここにおいて、本発明は、上述の如き事情を背景として為されたものであって、その解決課題とするところは、遊技者に対して遊技をする楽しみを与えることが出来る前扉を備えた新規な構造の遊技機を提供することにある。
【課題を解決するための手段】
【００１０】
以下、このような課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体および図面に記載され、或いはそれらの記載から当業者が把握することが出来る発明思想に基づいて認識されるものであることが理解されるべきである。
【００１１】
遊技機に関する本発明の第一の態様は、（ａ）遊技機本体に取り付けられて遊技領域を覆うように配設された前扉において、該遊技領域を外部から視認可能とするガラス窓の外周側に位置して該ガラス窓を略全周に亘って取り囲む状態で外部から視認可能に配設された環状の回動部材と、（ｂ）該回動部材の全重量を担って、該回動部材を前記前扉に対して周方向で回動可能に支持せしめる支持手段と、（ｃ）回転駆動せしめられる出力軸を備えた電動モータと、（ｄ）前記支持手段から独立して構成されて、前記回動部材の重量が実質的に及ぼされない状態で該回動部材に係わり合い、前記電動モータの出力軸による回転駆動力を該回動部材に伝達せしめて該回動部材を周方向に駆動する駆動力伝達機構とを、設けたことを、特徴とする。
【００１２】
このような本態様に従う構造とされた遊技機においては、遊技機本体に取り付けられて遊技領域を覆うように配設された前扉において、遊技領域を外部から視認可能とするガラス窓の外周側に位置して該ガラス窓を略全周に亘って取り囲む状態で外部から視認可能に配設された環状の回動部材が支持手段によって前扉に対して周方向で回動可能に支持せしめられていると共に、かかる支持手段から独立して構成されて、回動部材の重量が実質的に及ぼされない状態で回動部材に係わり合い、電動モータの出力軸による回転駆動力を回動部材に伝達せしめて回動部材を周方向に駆動する駆動力伝達機構が設けられていることから、回動部材をガラス窓の周方向の全周に亘って回動せしめることが可能となり、それによって、遊技者の注意を回動部材の動きに惹きつけて、かかる回動部材の動きに対して遊技者に興味をもたせることが可能となり、その結果、遊技者に遊技をする楽しみを与えることが可能となる。
【００１３】
すなわち、本態様に係る遊技機においては、ガラス窓を略全周に亘って囲むように配設される程に大きな回動部材をガラス窓の周方向に全周に亘って回動することが出来るようになっていることから、回動部材の動きを目立たせることが可能となり、それによって、遊技者の注意を惹きつけることが容易に可能となる。また、このように大きな回動部材を大きく動かして、その動きを目立たせることにより、遊技者に対して、例えば、通常の遊技状態では得ることが出来ない利益を得ることが可能な大当たり遊技状態が発生するかもしれない等の期待感を与えて、遊技者に遊技をする楽しみを与えることが可能となる。
【００１４】
特に、本態様に係る遊技機においては、回動部材が遊技領域を外部から視認可能とするガラス窓を略全周に亘って囲むように配設されていることから、遊技に夢中になっている遊技者の視界にも回動部材の動きが入りやすくなる、即ち、遊技者が遊技を行う際に最も注目する遊技領域からそれほど視線を移さなくても回動部材の動きが目に入ってくるのであり、それによって、遊技者に対して回動部材の動きに興味をもたせることが可能となり、その結果、遊技者に遊技をする楽しみを与えることが可能となる。
【００１５】
そして、本態様に係る遊技機においては、例えば、遊技が行われていない待機状態下で回動部材を回動せしめることにより、これから遊技をする遊技機を選択している者に対して遊技機を選択する際の指標を与えることが可能となるのであり、また、遊技者に対しては、例えば、遊技状況に応じて回動部材を回動せしめることにより、遊技を盛り上げることが可能となり、それによって、遊技者を楽しませて遊技をする楽しみを与えることが可能となる。
【００１６】
また、本態様に係る遊技機においては、駆動力伝達機構には、実質的に回動部材の重量が入力されないようになっていることから、駆動力伝達機構の耐久性を確保することが可能となる。即ち、駆動力伝達機構に対して電気モータの駆動力のみならず回動部材の重量も入力される場合には、それらの合力が駆動力伝達機構に対して及ぼされることとなり、特に、回動部材の回動開始時および回動停止時において、より大きな外力が駆動力伝達機構に対して及ぼされることとなるのであり、また、回動部材の回動開始時と回動停止時では、かかる外力の入力方向が変化することから、駆動力伝達機構の耐久性を得難いわけであるが、本態様に係る遊技機のように、駆動力伝達機構に対して実質的に電気モータの駆動力のみが及ぼされる場合には、駆動力伝達機構に対して及ぼされる外力を小さくすることが可能となり、その結果、駆動力伝達機構の耐久性を確保することが可能となるのである。
【００１７】
なお、本態様における支持手段は、一つであっても良いし、複数であっても良い。また、本態様における支持手段は、回動部材の外周側に配設されていても良いし、回動部材の内周側に配設されていても良い。更に、支持手段が複数設けられている場合には、それら複数の支持手段は、回動部材の内周側と外周側の両方に分散するようにして配設されていても良い。
【００１８】
また、本態様における回動部材は、外部に露出せしめられた状態で配設されていても良いが、前扉に対して固定的に設けられたカバー部材によって覆われた状態で配設されていることが望ましく、それによって、遊技者が遊技中に手を触れてしまうこと等に起因して回動部材の回動が妨げられることを回避することが可能となり、その結果、回動部材の回動状態を安定させることが可能となる。
【００１９】
遊技機に関する本発明の第二の態様は、前記第一の態様に係る遊技機において、前記駆動力伝達機構が、複数の歯車を用いた伝動機構によって構成されていることを、特徴とする。このような本態様に従う構造とされた遊技機においては、駆動力伝達機構が複数の歯車を用いた伝動機構によって構成されていることから、電動モータの出力軸による回転駆動力を回動部材へ確実に伝達することが可能となる。
【００２０】
特に、本態様に係る遊技機においては、回動部材の回動開始時や回動停止時，回動部材の回動速度の変更を急激に行う場合等に有効であり、回動部材の作動が高精度に設定制御可能となる。
【００２１】
遊技機に関する本発明の第三の態様は、前記第一又は第二の態様に係る遊技機において、前記電動モータの前記出力軸が前記前扉の表面と略平行に延びるように、該電動モータを該前扉に対して横方向に向けて取り付けたことを、特徴とする。このような本態様に従う構造とされた遊技機においては、出力軸が前扉の表面と略平行に延びるようにして、電動モータが前扉に対して横方向に向けて取り付けられていることから、前扉からの突出量を抑えつつ、大きな出力の電動モータを採用することが可能となる。
【００２２】
遊技機に関する本発明の第四の態様は、前記第一乃至第三の何れかの態様に係る遊技機において、前記回動部材において周方向の全周に亘って連続して延びるように形成された環状の大歯車と、該大歯車に噛合せしめられて前記電動モータによる回転駆動力が伝達される小歯車が設けられており、それら大歯車と小歯車を含んで前記駆動力伝達機構が構成されていることを、特徴とする。このような本態様に従う構造とされた遊技機においては、駆動力伝達機構が、回動部材において周方向に全周に亘って連続して延びるように形成された環状の大歯車と、かかる大歯車に噛合せしめられて電動モータによる回転駆動力が伝達される小歯車を含んで構成されていることから、回動部材そのものによって歯車を構成することが可能となり、それによって、全周が大きい歯車を特別な配設スペースを要することなく実現することが可能となる。
【００２３】
遊技機に関する本発明の第五の態様は、前記第一乃至第四の何れかの態様に係る遊技機において、前記電動モータから前記回動部材に及ぼされる回動駆動力を制御することにより、遊技状態に応じて該回動部材の回動状態を変化させる作動制御手段を設けたことを、特徴とする。このような本態様に従う構造とされた遊技機においては、作動制御手段が伝動モータから回動部材に及ぼされる回動駆動力を制御することにより、遊技状況に応じて回動部材の回動状態を変化させるようになっていることから、遊技を盛り上げることが可能となり、それによって、遊技者に対して遊技をする楽しみを与えることが可能となる。
【００２４】
なお、本態様における作動制御手段は、例えば、遊技機の遊技動作を全体的に制御する主制御回路からの制御信号に基づいて電動モータを駆動するためのドライバ回路が電動モータを作動制御すること等で有利に実現することが可能である。また、駆動力伝達機構をクラッチや変速機等を含んで構成し、それらクラッチや変速機等を作動制御手段で制御するようにしても良い。
【００２５】
遊技機に関する本発明の第六の態様は、前記第一乃至第五の何れかの態様に係る遊技機において、前記回動部材における周方向の複数箇所に、可視光線を透過する照明窓を設ける一方、該回動部材で覆われる後方位置に発光源を配設して、該発光源を前記前扉又は前記遊技機本体に対して固定的に取り付けたことを、特徴とする。このような本態様に従う構造とされた遊技機においては、回動部材における周方向の複数箇所に対して可視光線を透過する照明窓が設けられている一方、回動部材で覆われた後方位置に配設された発光源が前扉又は遊技機本体に対して固定的に取り付けられていることから、発光源を点灯乃至は点滅した際に、かかる発光源の点灯乃至は点滅が回動部材に設けられた照明窓から遊技者に認識せしめられることとなる。
【００２６】
従って、本態様に係る遊技機においては、回動部材の動きに伴って発光源を点灯乃至は点滅せしめることで、回動部材が単に動くだけでなく、照明窓から光を発している印象を遊技者に与えることが可能となり、それによって、回動部材の動きに対して遊技者に興味をもたせることが一層容易に可能となる。
【００２７】
しかも、本態様に係る遊技機においては、前扉又は遊技機本体に固定的に設けられた発光源が回動部材の作動によって動いているように見えることとなり、それによって、回動部材の装飾効果が向上される。
【００２８】
また、本態様に係る遊技機においては、前扉又は遊技機本体に発光源が設けられていることから、発光源の取付構造がその給電線の配線を含めて容易となる。
【００２９】
なお、本態様における照明窓は、有色であっても良いし、無色であっても良い。また、本態様における発光源は、ＬＥＤ等によって有利に構成することが可能となる。更にまた、本態様における発光源の発する光は、１色のみであっても良いし、２色以上に変化せしめられるようになっていても良い。
【００３０】
遊技機に関する本発明の第七の態様は、前記第一乃至第六の何れかの態様に係る遊技機において、前記回動部材において内周側または外周側に突出して周方向の全周に亘って連続して延びる円環状の鍔部を設ける一方、外周面に開口する周溝を有する支持ローラを該回動部材の周上で少なくとも一つ配設して、該支持ローラを前記前扉の本体で支持せしめると共に、該支持ローラの周溝に該回動部材の該鍔部を入り込ませたことを、特徴とする。このような本態様に従う構造とされた遊技機においては、外周面に開口する周溝を有する支持ローラが前扉で支持された状態で回動部材の周上で少なくとも一つ配設されており、かかる支持ローラの周溝に対して、回動部材において内周側または外周側に突出して周方向に全周に亘って連続して延びるように設けられた円環状の鍔部が入り込んでいることから、回動部材を支持ローラに設けられた周溝の幅方向で位置決めすることが可能となり、それによって、回動部材の作動の安定化を図ることが可能となる。
【００３１】
なお、本態様における支持ローラは、支持手段によって構成されていても良いし、支持手段とは独立して構成されていても良い。
【００３２】
遊技機に関する本発明の第八の態様は、前記第一乃至第七の何れかの態様に係る遊技機において、前記回動部材で覆われる後方位置において前記前扉又は前記遊技機本体に対して装飾体を設ける一方、該回動部材に対してレンチキュラーレンズを設けて、該装飾体を該レンチキュラーレンズを通して遊技者に視認可能にすると共に、該回動部材を前記電動モータおよび前記駆動力伝達機構によって周方向に駆動せしめることで該レンチキュラーレンズの方向を該装飾体の前方において変化せしめるようにしたことを、特徴とする。このような本態様に従う構造とされた遊技機においては、回動部材で覆われる後方位置において前扉又は遊技機本体に対して設けられた装飾体が、回動部材に設けられたレンチキュラーレンズを通して遊技者に視認可能とされていることから、装飾体の見え方を変化せしめることが可能となる。
【００３３】
すなわち、レンチキュラーレンズをいうのは、蒲鉾状の凸レンズを横一列に複数条連ねて形成したレンズであって、後方に配された装飾体を複数条の凸レンズが一列に並ぶ方向に引き延ばされたかの如く見せる特性を備えているものであり、このような特性を備えたレンチキュラーレンズが装飾体の前方に設けられていることから、装飾体の見え方が変化せしめられることとなるのである。なお、かかるレンチキュラーレンズの特性は、複数条の凸レンズが一列に並ぶ方向において、レンチキュラーレンズの後方に位置せしめられた装飾体が暈けて見えることに起因するものであり、このように複数条の凸レンズが一列に並ぶ方向においてレンチキュラーレンズの後方に位置せしめられた装飾体が暈けて見えることで、レンチキュラーレンズの後方に位置せしめられた装飾体が、恰も複数条の凸レンズが一列に並ぶ方向に引き延ばされたかの如く見えるのである。それ故、本態様の遊技機においては、装飾体の見え方が変化せしめられることに対して、遊技者の興味を惹きつけることが可能となる。
【００３４】
また、本態様においては、回動部材が電動モータおよび駆動力伝達機構によって周方向に駆動せしめられることでレンチキュラーレンズの方向が装飾体の前方において変化せしめられるようになっていることから、レンチキュラーレンズを構成する複数条の凸レンズが一列に並ぶ方向が変化せしめられることとなり、それによって、複数条の凸レンズが一列に並ぶ方向に引き延ばされたかの如く見える装飾体が動いているように見えるのである。
【００３５】
特に、本態様においては、レンチキュラーレンズを通して遊技者の目に映る装飾体の動きが、レンチキュラーレンズが設けられた回動部材が電動モータおよび駆動力伝達機構によって駆動せしめられることにのみ起因していることから、レンチキュラーレンズを通して遊技者の目に映る装飾体が滑らかに連続して動いているかの如く見えるのである。
【００３６】
従って、本態様の遊技機においては、装飾体の見え方のみならず、装飾体の動きに対しても遊技者の興味を惹きつけることが可能となる。
【００３７】
なお、本態様における装飾体の形状や構造，色彩等は、特に限定されるものではない。また、本態様における装飾体は、それ自体が光を発するものであっても良いし、或いは、それ自体が動くものであっても良い。さらに、本態様におけるレンチキュラーレンズの方向とは、レンチキュラーレンズを構成する複数条の凸レンズが一列に並ぶ方向をいうものとする。更にまた、本態様における回動部材の駆動範囲や駆動の態様は、レンチキュラーレンズの方向を変化させるものであれば、特に、限定されるものではなく、例えば、駆動範囲は３６０度より大きくても良いし、３６０度より小さくても良い。また、本態様の回動部材は、周方向の何れか一方にのみ駆動可能とされていても良いし、或いは、周方向の両方に駆動可能とされていても良い。更にまた、本態様において、レンチキュラーレンズと装飾体の離隔距離は、レンチキュラーレンズを通して遊技者の目に映る装飾体の形をどのようにするかということに基づいて適宜設定変更されるものであり、一定であっても良いし、変更可能であっても良い。そこにおいて、レンチキュラーレンズと装飾体の離隔距離が変更可能とされている場合には、レンチキュラーレンズと装飾体の離隔距離を変更することによって、装飾体がレンチキュラーレンズの方向に引き延ばされて見える割合を変更することが可能となる。
【００３８】
また、本態様におけるレンチキュラーレンズは、回動部材に対して一枚だけ設けられるようにしても良いし、或いは、２枚重ね合わせた状態で回動部材に設けられるようにしてもよい。そして、このようにレンチキュラーレンズを２枚重ね合わせた状態で回動部材に設ける場合には、各レンチキュラーレンズの方向を一致させておいても良いが、各レンチキュラーレンズの方向を互いに異ならせておくことが望ましく、それによって、装飾体の見え方を一層バリエーションに富んだものにすることが可能となる。即ち、このように２枚のレンチキュラーレンズを重ね合わせた状態で回動部材に設けることによって、それら２枚のレンチキュラーレンズの後方に位置せしめられた装飾体は、２枚のレンチキュラーレンズのうち装飾体に近いほうに位置せしめられたレンチキュラーレンズの方向に引き延ばされた後、更に、２枚のレンチキュラーレンズのうち装飾体から離れたほうに位置せしめられたレンチキュラーレンズの方向に引き延ばされてから、遊技者に視認されることとなる。それ故、２枚のレンチキュラーレンズの方向を適当に設定することによって、装飾体の見え方のバリエーションを増やすことが可能となるのである。
【００３９】
遊技機に関する本発明の第九の態様は、前記第八の態様に係る遊技機において、前記装飾体が前記発光源を含んで構成されていることを、特徴とする。このような本態様に従う構造とされた遊技機においては、レンチキュラーレンズを通して遊技者の目に映る発光源の発する光がレンチキュラーレンズの方向に引き延ばされたかの如く見えるようになっていることから、発光源の発する光の見え方に対して遊技者の興味を惹きつけることが可能となる。
【００４０】
すなわち、発光源の発する光の見え方というのは、発光源の形状等によって予め決まってしまうものであり、それ故、発光源の発する光の見え方を変更しようとすると、例えば、発光源の前方にスリットが形成された光通過部材を設けて、かかる光通過部材に形成されたスリットを通して発光源の発する光を見せるようにする方法が考えられるが、このような方法では、変更後における発光源が発する光の見え方に斬新さがない。しかしながら、本態様に従えば、レンチキュラーレンズの後方に配された発光源の発する光が、レンチキュラーレンズを構成する複数条の凸レンズが一列に並ぶ方向に暈けて、かかる方向に引き延ばされたかの如く見えるという原理を巧く利用して、発光源の発する光の見え方を変更するようになっているのであり、その結果、変更後における発光源の発する光の見え方が従来にない斬新なものとなり、遊技者の興味を発光源の発する光の見え方に対して惹きつけることが可能となる。
【００４１】
また、本態様においては、レンチキュラーレンズの方向が回動部材の周方向への駆動に基づいて変化せしめられるようになっていることから、レンチキュラーレンズの方向に引き延ばされたかの如く見える発光源の発する光が滑らかに連続して動くように見えることとなり、それによって、発光源の発する光の動きに対しても、遊技者の興味を惹きつけることが可能となる。
【００４２】
そして、このようにレンチキュラーレンズの方向に引き延ばされたかの如く見える発光源の発する光が滑らかに連続して動くように見えることから、発光源への給電線等の関係から発光源自体を動かしたくても動かせない等といった問題を解消することが可能となり、それによって、発光源の発する光を用いた演出等のバリエーションを増やすことが可能となる。
【００４３】
また、本態様においては、このように発光源の発する光を用いた演出等のバリエーションを増やすことが可能となることによって、発光源の発する光を用いた演出が単調になることを有利に回避することが可能となり、それによって、発光源の発する光を用いた演出であっても、遊技者を十分に楽しませることが可能となる。
【００４４】
また、遊技機の意匠を高める等の観点から、発光源の発する光というのは、従来、発光源の前方に配されたカバーを介して遊技者に認識されることが多く、それ故、発光源に対する遊技者の意識というのは、発光源の発する光によって文字情報が発現せしめられ、かかる文字情報が遊技者の興味を惹きつける場合は格別、そうでなければ、光を発しているか否かという点にのみ注がれているといっても過言ではない。このような遊技者の発光源に対する意識を、本態様の遊技機は、根底から覆すことが可能であり、それによって、遊技者の興味を発光源、延いては、発光源の発する光に対して十分に惹きつけることが可能となる。
【００４５】
遊技機に関する本発明の第十の態様は、前記第九の態様に係る遊技機において、前記発光源を複数採用して、前記レンチキュラーレンズの方向をそれら発光源の前方で変化させることにより、少なくとも二つの該発光源の発する光が前記遊技者において重なって見えるようにしたことを、特徴とする。このような本態様に従う構造とされた遊技機においては、複数採用された発光源の前方においてレンチキュラーレンズの方向が変化せしめられることによって、少なくとも二つの発光源の発する光が遊技者において重なって見えるようになっていることから、例えば、遊技者において重なって見えるようになっている、少なくとも二つの発光源の発する光の色を、互いに異ならせておくことによって、それらの発光源のそれぞれが発する光の色を遊技者において重なって見える部分で混ぜ合わせることが可能となり、それによって、発光源の発する光の見え方のバリエーションをより一層増やすことが可能となる。
【００４６】
遊技機に関する本発明の第十一の態様は、前記第八乃至第十の何れかの態様に係る遊技機において、前記回動部材を前方から覆うようにして透明な保護カバーを配すると共に、該保護カバーに対して該回動部材に設けられた前記レンチキュラーレンズとは別のレンチキュラーレンズを設けることによって、該回動部材側のレンチキュラーレンズと該保護カバー側のレンチキュラーレンズを通して前記装飾体を前記遊技者において視認可能にしたことを、特徴とする。このような本態様に従う構造とされた遊技機においては、回動部材側のレンチキュラーレンズと保護カバー側のレンチキュラーレンズを通して装飾体が遊技者に視認可能とされていることから、回動部材側のレンチキュラーレンズと装飾体との離隔距離，保護カバー側のレンチキュラーレンズと回動部材側のレンチキュラーレンズとの離隔距離等を適当に調節することによって、装飾体の見え方のバリエーションをより一層増やすことが可能となる。
【００４７】
すなわち、本態様の遊技機の場合、装飾体は、回動部材側のレンチキュラーレンズの方向に引き延ばされた後、更に、保護カバー側のレンチキュラーレンズの方向に引き延ばされてから、遊技者に視認されるようになっており、しかも、回動部材側のレンチキュラーレンズの方向が回動部材の周方向への駆動に基づいて変化せしめられるようになっていることから、装飾体の見え方が、一定の周期（例えば、回動部材が半回転する時間）毎に変化せしめられることとなる。それ故、本態様の遊技機においては、装飾体の見え方のバリエーションをより一層増やすことが可能となるのである。
【００４８】
遊技機に関する本発明の第十二の態様は、前記第八乃至第十一の何れかの態様に係る遊技機において、前記装飾体と前記回動部材に設けられた前記レンチキュラーレンズとの離隔距離を変更する離隔距離変更手段を備えていることを、特徴とする。このような本態様に従う構造とされた遊技機においては、離隔距離変更手段によって、可動部材に設けられたレンチキュラーレンズと装飾体との離隔距離が変更せしめられるようになっていることから、装飾体がレンチキュラーレンズの方向に引き延ばされて見える割合を変更することが可能となる。
【００４９】
なお、このように回動部材に設けられたレンチキュラーレンズと装飾体の離隔距離が変更せしめられることに起因して、装飾体がレンチキュラーレンズの方向に引き延ばされて見える割合が変更せしめられるという現象は、回動部材に設けられたレンチキュラーレンズと装飾体との離隔距離が大きくなるに従って、回動部材に設けられたレンチキュラーレンズの後方に位置せしめられた装飾体が暈けて見えやすくなることに起因するものである。
【発明の効果】
【００５０】
上述の説明から明らかなように、本発明に従う構造とされた遊技機においては、前扉に設けられた遊技領域を視認可能にするガラス窓を略全周に亘って囲むように配設された回動部材がガラス窓の全周に亘って回転可能とされていることから、遊技者の興味を惹きつけて遊技者に遊技をする楽しみを与えることが可能となる。
【発明を実施するための最良の形態】
【００５１】
以下、本発明を更に具体的に明らかにするために、本発明の実施形態について、図面を参照しつつ、詳細に説明する。
【００５２】
先ず、図１には、本発明の第一の実施形態としてのパチンコ機１０が示されている。このパチンコ機１０は、遊技領域１２を覆うようにして前扉としてのガラス枠１４が配設された構造とされている。
【００５３】
より詳細には、パチンコ機１０は、中枠１６が幅方向一方の端部を中心に回転可能な状態で外枠１８に装着されており、これら中枠１６及び外枠１８によって遊技機本体が構成されている。また、中枠１６の前面には、横長な長方形状の皿板２０が幅方向一方の端部を中心に回転可能に装着されており、かかる皿板２０の前面には、遊技球を貯留するための上皿２２が固定されている。更にまた、中枠１６の前面には、上皿２２の下方において、下皿２４が設けられている。この下皿２４は、パチンコ機１０の裏側において、上皿２２に連通せしめられており、上皿２２内から溢れた遊技球が下皿２４内に排出されるようになっている。
【００５４】
また、下皿２４の右側には、ハンドル２６が設けられており、かかるハンドル２６には、発射レバー２８が回動可能に装着されている。更に、ハンドル２６の裏側には、発射モータ（図示せず）が装着されている。この発射モータの回転軸には、クランク機構（図示せず）を介して打球槌（図示せず）が連結されており、発射レバー２８が周方向一方の側に回動操作せしめられることによって発射モータに電源が供給され、打球槌が上皿２２内に貯留された遊技球を弾き出すようになっている。
【００５５】
さらに、中枠１６の後側には、額縁状の機構盤（図示せず）が設けられており、かかる機構盤によって遊技盤３０が保持されている。この遊技盤３０は、矩形状を有する遊技板３２に対して薄肉の金属プレートが厚さ方向に湾曲せしめられることで構成されたレールセット３４が固定された構造とされており、かかるレールセット３４の内周側に形成された略円形の領域によって遊技領域１２が構成されている。この遊技領域１２には、特別図柄表示装置３６，始動入賞口装置３８，大入賞口装置４０，多数の遊技釘（図示せず）等が設けられており、発射レバー２８の回転操作により発射されて遊技領域１２に案内された遊技球が始動入賞口装置３８に入賞すると、特別図柄表示装置３６において複数の特別図柄（図示せず）の変動が開始されるようになっている。そして、これら複数の特別図柄の変動が所定の図柄組み合わせで停止した場合には、大入賞口装置４０の入口が開放されて遊技者に有利な遊技状態、所謂、大当たり遊技状態となる。このことから明らかなように、本実施形態のパチンコ機１０は、所謂第一種パチンコ機である。
【００５６】
そして、このような構造とされた遊技盤３０を覆うようにして、即ち、遊技領域１２を覆うようにして中枠１６の前面にガラス枠１４が配設されている。このガラス枠１４は、その幅方向一方の端部を中心に回動可能となるように中枠１６に装着されている。また、ガラス枠１４の中央部分には、ガラス窓４２が設けられており、かかるガラス窓４２を通じて遊技領域１２が外部から視認可能とされている。なお、本実施形態では、ガラス窓４２は、２枚のガラス板４４，４４（図３参照）が所定距離を隔てた状態でガラス枠１４によって保持されることで構成されている。
【００５７】
また、ガラス枠１４の前面には、カバー４６が配設されている。このカバー４６は、図２において、その単体図が示されているように、硬質の合成樹脂材によって形成されており、円環板部４８の内周縁部および外周縁部からそれぞれ円環板部４８の厚さ方向一方の側に突出する内側壁部５０および外側壁部５２を備えた構造とされている。このような構造とされたカバー４６は、外側壁部５２および内側壁部５０の突出先端側がガラス枠１４の前面に重ね合わせられるようにして接着剤、或いはネジ等によってガラス枠１４の前面に固着されており、このようにガラス枠１４の前面に対してカバー４６が固着された状態下において、ガラス窓４２は内側壁部５０の径方向内方側に位置せしめられている。即ち、カバー４６は、ガラス枠１４の前面において、ガラス窓４２を囲むように設けられているのである。なお、本実施形態では、カバー４６は可視光線に対して透明とされている。
【００５８】
また、このようにカバー４６がガラス枠１４に固着されることにより、カバー４６とガラス枠１４の間に略一定の断面でガラス窓４２の外側を一周するように延びる環状の収容空間５４が形成されている。この収容空間５４には、図３乃至図５に示されているように、回動部材としての装飾可動部材５６が収容配置されている。なお、図３乃至図５において、中枠１６や中枠１６に対して固定されている遊技盤３０等の図示は、省略している。
【００５９】
この装飾可動部材５６は、図６および図７において、その単体図が示されているように、硬質の合成樹脂材によって形成されており、円環板形状の装飾部５８における内周縁部および外周縁部からそれぞれ装飾部５８の厚さ方向一方の側に突出する内周壁部６０および外周壁部６２を備えた構造とされている。また、外周壁部６２の突出先端側には、全周に亘って径方向外方に突出する鍔部としての外方突部６４が一体形成されている。更にまた、外方突部６４には、全周に亘って連続して延びるように環状の大歯車としての外歯歯車６６が形成されている。そこにおいて、本実施形態では、外歯歯車６６の基準ピッチ面は、円錐とされている。
【００６０】
さらに、装飾部５８には、複数の凹所６８が周方向に等間隔に形成されており、かかる凹所６８に嵌めこまれるようにして照明窓としてのレンズ７０が装飾可動部材５６に固定されている。このレンズ７０は、硬質の合成樹脂材によって形成されており、凹所６８の形状に対応した形状を有している。そこにおいて、本実施形態では、これら複数のレンズ７０は、何れも、可視光線に対して有色透明とされている。
【００６１】
このような構造とされた装飾可動部材５６は、収容空間５４に収容配置された状態下において、複数の支持ローラ７２ａ〜ｃによって周方向に回動可能に支持されている。具体的には、装飾可動部材５６は、その中心よりも上方に位置せしめられた支持ローラ７２ａと、その中心よりも下方に位置せしめられた支持ローラ７２ｂ，ｃによって支持されている。即ち、本実施形態では、支持ローラ７２ｂ，ｃに対して、装飾可動部材５６の重量が入力されるようになっているのである。このことから明らかなように、本実施形態では、支持ローラ７２ｂ，ｃによって支持手段が構成されることとなる。なお、本実施形態では、支持ローラ７２ａは、装飾可動部材５６の中心を通って上下方向に延びる直線上に位置せしめられており、また、支持ローラ７２ｂ，ｃは、かかる直線を挟んで左右対称となる位置に配設されている。
【００６２】
これら支持ローラ７２ａ〜ｃは、図３（ａ）、図４、図５に示されているように、何れも、一対の構成部材７４，７４によって構成されている。この一対の構成部材７４，７４は、何れも、硬質の合成樹脂材によって形成されており、大径円板部７６および小径円板部７８が同一中心軸上で一体形成された構造とされている。このような構造とされた構成部材７４，７４は、同一中心軸上で重ね合わされて、各構成部材７４に形成された中心孔に対してカバー４６とガラス枠１４によって固定的に支持された支持ピン８０が挿通配置された状態で、収容空間５４内において回動可能に収容配置されており、このようにして、これら支持ローラ７２が収容空間５４内に収容配置された状態下で、支持ピン８０の軸方向で対向位置せしめられる大径円板部７６，７６の外周縁部の間に装飾可動部材５６の外方突部６４が位置せしめられている。即ち、装飾可動部材５６は、大径円板部７６，７６の外周縁部に挟まれるようにして支持されているのである。このことから明らかなように、本実施形態では、各支持ローラ７２の大径円板部７６，７６の対向面間において周溝が形成されている。
【００６３】
また、カバー４６の外周側には、図８にも示されているように、電動モータとしての電気モータ８２が配設されている。この電動モータ８２は、ステッピングモータ等の従来から公知の各種電気モータが好適に採用される。そこにおいて、本実施形態では、かかる電気モータ８２は、支持ローラ７２ａの付近において、その出力軸８４がガラス枠１４の表面に対して略平行に延びる状態で、カバー４６に対して固定的に設けられており、このように電気モータ８２がカバー４６に対して固定的に設けられた状態下で、電気モータ８２の出力軸８４は、カバー４６における外側壁部５２に形成された挿通孔８６に挿通されており、収容空間５４内に突出せしめられている。
【００６４】
このように収容空間５４内に突出せしめられた出力軸８４に対して小歯車としての出力ピニオン８８が一体的に組み付けられている。そこにおいて、本実施形態では、出力ピニオン８８の基準ピッチ面は、円錐とされている。そして、このような出力ピニオン８８が装飾可動部材５６に設けられた外歯歯車６６に対して噛合されており、電気モータ８２の出力軸８４の回転駆動力が装飾可動部材５６に伝達されるようになっている。このことから明らかなように、本実施形態では、出力ピニオン８８と外側歯車６６によって傘歯車が構成されているのであり、また、これら出力ピニオン８８と外歯歯車６６によって駆動力伝達機構が構成されている。そこにおいて、本実施形態では、出力ピニオン８８が支持ローラ７２ａの付近において装飾可動部材５６よりも上方に位置せしめられていることから、出力ピニオン８８には、装飾可動部材５６の重量が実質的に及ぼされないようになっている。
【００６５】
なお、カバー４６における複数の支持ローラ７２ａ〜ｃが位置せしめられる部位は、それら複数の支持ローラ７２ａ〜ｃの形状に対応した形状をもって、径方向外方に突出せしめられている。また、図面上では、電気モータ８２が外部に露出せしめられているが、電気モータ８２が外部へ露出しないように電気モータ８２における外部へ露出せしめられている部分を覆い隠す部材をカバー４６やガラス枠１４に対して配設しても良い。
【００６６】
さらに、ガラス枠１４には、装飾可動部材５６と対向せしめられる部分において、複数の開口部９０が周方向に適当な間隔をもって形成されており、かかる開口部９０内には、発光源としての装飾ＬＥＤ９２が位置せしめられている。この装飾ＬＥＤ９２は、ガラス枠１４に対して固定された基板９４に実装されている。そこにおいて、本実施形態では、基板９４はガラス枠１４に対して装飾可動部材５６が配設された側と反対の側から取り付けられており、また、このように基板９４が取り付けられた状態において、装飾ＬＥＤ９２は、開口部９０内から装飾可動部材５６側に突出せしめられておらず、それによって、装飾可動部材５６の作動を妨げないようにすることが可能となる。
【００６７】
更にまた、ガラス枠１４の幅方向他方の端部には、枠鍵９６が装着されており、かかる枠鍵９６によって中枠１６を外枠１８に対して密着した状態に保持するようになっていると共に、皿板２０とガラス枠１４を中枠１６に対して密着した状態に保持するようになっている。
【００６８】
上述の如き構造とされたパチンコ機１０は、発射レバー２８の回転操作によって発射せしめられて、遊技領域１２に案内された遊技球が始動入賞口装置３８に入賞すると、特別図柄表示装置３６において複数の特別図柄の変動が開始せしめられる。そして、これら複数の特別図柄の変動が順次停止し、最後に一つの特別図柄のみが変動している状態であって、かかる最後まで変動している特別図柄が特定の図柄で停止すると、複数の特別図柄が所定の図柄組み合わせで停止することとなる状態、即ち、リーチ状態が発生した場合に、電気モータ８２への電源の供給が行われ、電気モータ８２が駆動せしめられる。そして、電気モータ８２の回転駆動力が出力ピニオン８８および外歯歯車６６を介して装飾可動部材５６に伝達されることとなり、それによって、装飾可動部材５６が周方向一方向に回動せしめられることとなる。また、このように装飾可動部材５６が周方向一方向に回動せしめられる際に、装飾ＬＥＤ９２が点灯乃至は点滅せしめられるようになっており、かかる装飾ＬＥＤ９２の点灯乃至は点滅が装飾可動部材５６に取り付けられた複数のレンズ７０を介して遊技者に視認されるようになっている。このような装飾可動部材５６の回動および複数の装飾ＬＥＤ９２の点灯乃至は点滅は、リーチ状態が発生している状態下において、継続せしめられるようになっている。そして、リーチ状態が終了すると、装飾可動部材５６の回動および装飾ＬＥＤ９２の点灯乃至は点滅は、行われないようになる。
【００６９】
そこにおいて、図９に示されているように、電気モータ８２への電源供給、即ち、電気モータ８２の駆動は、パチンコ機１０の遊技動作を全体的に制御する主制御回路９８からの制御信号に基づいて、電気モータ８２の回動を制御する電気モータ用ドライブ回路１００が行うようになっている。また、複数の装飾ＬＥＤ９２の点灯乃至は点滅は、主制御回路９８からの制御信号に基づいて、装飾ＬＥＤ９２の点灯乃至は点滅を制御する装飾ＬＥＤ用ドライブ回路１０２が行うようになっている。なお、主制御回路９８には、始動入賞口装置３８に設けられた始動入賞スイッチや大入賞口装置４０に設けられたカウントスイッチ，特別図柄表示装置３６に表示される複数の特別図柄の表示制御をするための表示制御回路等が接続されているが、それらの図示は省略している。そして、これら主制御回路９８，電気モータ用ドライブ回路１００および装飾ＬＥＤ用ドライブ回路１０２は、それぞれ、各別の制御基板に設けられるようになっており、また、これらの制御基板は各別に制御基板ケースに収容された状態で、パチンコ機１０の裏側に配設されるようになっている。このことから明らかなように、本実施形態では、主制御回路９８，電気モータ用ドライブ回路１００によって作動制御手段が構成されている。
【００７０】
このような構造とされたパチンコ機１０においては、装飾可動部材５６が遊技領域１２を外部に視認可能とするガラス窓４２の周囲に配設されていると共に、かかるガラス窓４２の周りを全周に亘って回動せしめられるようになっていることから、遊技者の興味を惹きつけて遊技者に遊技をする楽しみを与えることが出来る。
【００７１】
特に、本実施形態では、装飾可動部材５６がガラス窓４２の外側の全周に亘って配設される程の大きさとされており、このように大きな装飾可動部材５６がガラス窓４２の周囲を回動せしめられることから、遊技者の興味を惹きつけることが容易に可能となる。
【００７２】
また、本実施形態では、装飾可動部材５６がガラス窓４２の周囲、即ち、遊技者が遊技をする際に最も注目する遊技領域１２の周囲に配設されていることから、遊技者の視界に入りやすく、それによって、遊技者の注意を惹きつけることが容易に可能となって、遊技者に遊技をする楽しみを与えることが可能となる。
【００７３】
さらに、本実施形態では、出力ピニオン８８に対して装飾可動部材５６の重量が実質的に及ぼされないようになっていることから、出力ピニオン８８および出力ピニオン８８に噛合される外歯歯車６６の耐久性を向上することが可能となる。
【００７４】
更にまた、図１０には、本発明の第二の実施形態のパチンコ機に採用される回動部材としての装飾可動部材１０４が収容空間５４に収容位置せしめられた状態が示されている。なお、本実施形態のパチンコ機は、第一の実施形態のパチンコ機（１０）に比して、装飾可動部材１０４のみが異なっていることから、かかる装飾可動部材１０４についてのみ説明することとし、その他の部材および部位については、第一の実施形態と同一の符号を付すことによって、それらの詳細な説明を省略する。
【００７５】
本実施形態の装飾可動部材１０４は、有色乃至は無色透明な合成樹脂材によって形成されている。また、装飾部５８には、凹所（６８）が形成されておらず、その代わりに、装飾部５８に対してレンチキュラーレンズ１０６が貼付されている。このレンチキュラーレンズ１０６は、従来から公知のものであるが、簡単に説明すると、図１１に示されているように、蒲鉾状の凸レンズ１０８を横一列に複数条連ねて形成したものであり、全体としてシート形状とされている。なお、レンチキュラーレンズ１０６は、透明な合成樹脂材（ＰＥＴやアクリル樹脂等）によって形成されている。
【００７６】
このような構造とされたレンチキュラーレンズ１０６は、装飾可動部材１０４における装飾部５８に対して全体に亘って貼付されており、それによって、装飾体としての装飾ＬＥＤ９２の発する光がレンチキュラーレンズ１０６を通して遊技者に視認可能とされているのである。そこにおいて、本実施形態では、このようにレンチキュラーレンズ１０６が設けられた装飾可動部材１０４の前方に設けられたカバー４６によって、レンチキュラーレンズ１０６が保護されるようになっている。
【００７７】
そして、このようにレンチキュラーレンズ１０６を通って遊技者の目に映る装飾ＬＥＤ９２が発する光１１０というのは、図１２に示されているように、レンチキュラーレンズ１０６の方向、即ち、レンチキュラーレンズ１０６を構成する複数条の凸レンズ１０８が一列に並ぶ方向に延びて見えるのであり、その結果、装飾ＬＥＤ９２における発光部分が棒状とされているかの如き印象を見る者（遊技者、或いは、これから遊技をするパチンコ機を選択している者）に与えるようになっている。
【００７８】
なお、レンチキュラーレンズ１０６を通して遊技者の目に映る装飾ＬＥＤ９２の発する光１１０がレンチキュラーレンズ１０６の方向に延びて見えるという現象は、レンチキュラーレンズ１０６を構成する複数条の凸レンズ１０８が一列に並ぶ方向において、レンチキュラーレンズ１０６の後方にある装飾ＬＥＤ９２の発する光が暈けて見えるようになっている一方、各凸レンズ１０８が延びる方向において、装飾ＬＥＤ９２の発する光が暈けて見えないことに起因するものであり、それによって、装飾ＬＥＤ９２の発する光１１０が、本来は丸い点状であったにも拘わらず、レンチキュラーレンズ１０６の方向に引き延ばされて帯状に見えるのである。
【００７９】
そこにおいて、装飾ＬＥＤ９２の発する光１１０がレンチキュラーレンズ１０６の方向に引き延ばされる割合は、装飾ＬＥＤ９２とレンチキュラーレンズ１０６との離隔距離等を適当に調節することによって変更することが可能である。
【００８０】
そして、電気モータ９６の駆動力が装飾可動部材１０４に伝達されて、装飾可動部材１０４が回動せしめられると、装飾ＬＥＤ９２の前方において、レンチキュラーレンズ１０６の方向が変化せしめられることとなり、それによって、丸い点状から帯状に見え方が変化せしめられた装飾ＬＥＤ９２の発する光１１０が、その長手方向中央部分を中心として滑らかに連続して回転するかの如く見えるようになっているのである。
【００８１】
また、複数の装飾ＬＥＤ９２が近接位置せしめられている場合には、装飾可動部材１０４に設けられたレンチキュラーレンズ１０６の方向に応じて、図１３に示されているように、各装飾ＬＥＤ９２の発する光１１０が重なって見えたり、或いは、図１４に示されているように、各装飾ＬＥＤ９２の発する光１１０が重なって見えなかったりする。この場合、各装飾ＬＥＤ９２の発する光１１０の色を異なるものにしておくことによって、各装飾ＬＥＤ９２の発する光１１０が重なって見える部分において、各装飾ＬＥＤ９２の発する光１１０の色を混ぜ合わせることが可能となり、それによって、装飾ＬＥＤ９２の発する光１１０の見え方のバリエーションを増やすことが可能となる。因みに、図１３および図１４においては、二つの装飾ＬＥＤ９２の発する光１１０が重なって見える状態が示されている。
【００８２】
また、装飾ＬＥＤ９２を点滅制御する場合には、装飾ＬＥＤ９２が消灯している時間と装飾可動部材１０４の回動速度を適当に調節することによって、装飾ＬＥＤ９２の発する光が、例えば、パチンコ機の上下方向に延びた状態から左右方向に延びた状態に突然変化せしめられたかの如き印象を遊技者に与えることが可能となり、それによって、装飾ＬＥＤ９２の発光を利用した演出のバリエーションを一層増やすことが可能となる。更にまた、装飾ＬＥＤ９２が発する光の色を変化させるようにしても良い。
【００８３】
このような装飾可動部材１０４を備えたパチンコ機においては、電気モータ９６によって装飾可動部材１０４が回動せしめられるようになっていることから、第一の実施形態と同様な効果を得ることが可能となる。
【００８４】
そこにおいて、本実施形態では、電気モータ９６によって装飾可動部材１０４が回動せしめられることに起因して、装飾可動部材１０４に設けられたレンチキュラーレンズ１０６が回転し、それによって、装飾ＬＥＤ９２の前方においてレンチキュラーレンズ１０６の方向が変化せしめられるようになっていることから、レンチキュラーレンズ１０６によってその見え方が丸い点状から帯状に変化せしめられた装飾ＬＥＤ９２の発する光を、その長手方向中央部分を中心として回転しているように見せることが可能となる。それ故、本実施形態では、装飾ＬＥＤ９２の発する光を利用した演出のバリエーションを増やすことが可能となる。また、本実施形態では、装飾ＬＥＤ９２の発する光を利用した演出を従来にない斬新なものにすることが可能となる。
【００８５】
更にまた、本実施形態では、帯状に見える装飾ＬＥＤ９２が発する光の回転が、装飾可動部材１０４の回動にのみ起因していることから、帯状に見える装飾ＬＥＤ９２の発する光を滑らかに連続して回転しているように見せることが可能となる。
【００８６】
また、装飾可動部材１０４の回動がリーチ状態の発生に起因して行われる場合には、帯状に引き延ばされた状態で回転しているように見える装飾ＬＥＤ９２の発する光に対して遊技者の興味を惹きつけることが可能となり、それによって、遊技を盛り上げることが可能となる。
【００８７】
更にまた、図１５には、本発明の第三の実施形態のパチンコ機に採用される保護カバーとしてのカバー４６がガラス枠１４に取り付けられることで形成された収容空間５４内に回動部材としての装飾可動部材１１２が位置せしめられた状態が示されている。なお、以下の説明において、第一の実施形態と同様な構造とされた部材および部位については、図中に、第一の実施形態と同一の符号を付すことによって、それらの詳細な説明を省略する。
【００８８】
本実施形態の装飾可動部材１１２は、可視光線に対して透明な合成樹脂材によって形成されている。また、第一の実施形態では、装飾部５８に凹所（６８）が形成されていたが、本実施形態では、かかる凹所（６８）が形成されておらず、その代わりに、装飾部５８にレンチキュラーレンズ１１４が貼付されている。更にまた、本実施形態では、カバー４６の円環板部４８に対して、裏側（装飾ＬＥＤ９２が位置せしめられている側）からレンチキュラーレンズ１１６が貼付されている。これにより、本実施形態では、装飾ＬＥＤ９２の発する光が、装飾部５８に貼付されたレンチキュラーレンズ１１４（以下、奥側レンチキュラーレンズ１１４と称する）と、円環板部４８に貼付されたレンチキュラーレンズ１１６（以下、手前側レンチキュラーレンズ１１６と称する）を通って、遊技者に視認されるようになっている。
【００８９】
また、本実施形態では、奥側レンチキュラーレンズ１１４の前方に設けられたカバー４６によって、奥側レンチキュラーレンズ１１４が保護されている一方、手前側レンチキュラーレンズ１１６が円環板部４８に対して裏側から貼付されていることによって、手前側レンチキュラーレンズ１１６が保護されている。
【００９０】
そこにおいて、本実施形態では、奥側レンチキュラーレンズ１１４と手前側レンチキュラーレンズ１１６は、何れも、第二の実施形態において、装飾可動部材（１０４）に設けられていたレンチキュラーレンズ（１０６）と同様な構造とされていることから、その詳細な説明は省略する。また、本実施形態では、手前側レンチキュラーレンズ１１６の方向がパチンコ機の上下方向に一致している。
【００９１】
そして、電気モータ９６によって、装飾可動部材１１２が回転せしめられると、装飾ＬＥＤ９２の発する光の見え方が変化せしめられるようになっている。具体的には、手前側レンチキュラーレンズ１１６と奥側レンチキュラーレンズ１１４の方向が一致している場合、装飾ＬＥＤ９２の発する光１１８は、本来は丸い点状であったにも拘わらず、図１６に示されているように、手前側レンチキュラーレンズ１１６と奥側レンチキュラーレンズ１１４の方向に延びる帯状に見える。
【００９２】
このように装飾ＬＥＤ９２の発する光１１８が帯状に見える状態から、装飾可動部材１１２が回動せしめられると、奥側レンチキュラーレンズ１１４の方向が手前側レンチキュラーレンズ１１６の方向に対して傾斜せしめられ、しかも、その傾斜角度が徐々に大きくなっていくようになる。これにより、装飾ＬＥＤ９２の発する光１１８は、その見え方が、帯状から平行四辺形へと変化していくこととなる（図１７乃至図１９参照）。そして、奥側レンチキュラーレンズ１１４の方向が手前側レンチキュラーレンズ１１６の方向に対して直交すると、装飾ＬＥＤ９２の発する光１１８は、図２０に示されているように、縦長の長方形に見える。
【００９３】
因みに、図１７には、手前側レンチキュラーレンズ１１６の方向に対して奥側レンチキュラーレンズ１１４の方向が３０度傾斜した状態下での装飾ＬＥＤ９２が発する光１１８の見え方が示されており、図１８には、手前側レンチキュラーレンズ１１６の方向に対して奥側レンチキュラーレンズ１１４の方向が４５度傾斜した状態下での装飾ＬＥＤ９２が発する光１１８の見え方が示されており、図１９には、手前側レンチキュラーレンズ１１６の方向に対して奥側レンチキュラーレンズ１１４の方向が６０度傾斜した状態下での装飾ＬＥＤ９２が発する光１１８の見え方が示されている。
【００９４】
また、装飾ＬＥＤ９２の発する光が、縦長の長方形に見える状態から、更に、装飾可動部材１１２が回動せしめられると、手前側レンチキュラーレンズ１１６の方向に対する奥側レンチキュラーレンズ１１４の方向の傾斜角度が徐々に大きくなっていくようになっている。換言すると、鋭角側の傾斜角度は徐々に小さくなっているのである。これにより、装飾ＬＥＤ９２の発する光１１８は、その見え方が、縦長の長方形から平行四辺形へと変化していくこととなる（図２１乃至図２３参照）。そして、奥側レンチキュラーレンズ１１４の方向が手前側レンチキュラーレンズ１１６の方向と一致すると、装飾ＬＥＤ９２の発する光１１８は、図１６に示されているように、帯状に見える。
【００９５】
因みに、図２１には、手前側レンチキュラーレンズ１１６の方向に対して奥側レンチキュラーレンズ１１４の方向が１２０度傾斜した状態下での装飾ＬＥＤ９２が発する光１１８の見え方が示されており、図２２には、手前側レンチキュラーレンズ１１６の方向に対して奥側レンチキュラーレンズ１１４の方向が１３５度傾斜した状態下での装飾ＬＥＤ９２が発する光１１８の見え方が示されており、図２３には、手前側レンチキュラーレンズ１１６の方向に対して奥側レンチキュラーレンズ１１４の方向が１５０度傾斜した状態下での装飾ＬＥＤ９２が発する光１１８の見え方が示されている。
【００９６】
そして、上述の説明から明らかなように、本実施形態では、装飾ＬＥＤ９２の発する光１１８の見え方が、装飾可動部材１１２が１８０度回転せしめられる毎に、帯状から平行四辺形を経て縦長の長方形となり、その後、平行四辺形を経て、再び帯状へと変化していくようになっているのである。
【００９７】
そこにおいて、このように装飾ＬＥＤ９２の発する光１１８の見え方が変化していく現象は、装飾可動部材１１２が回動せしめられることで、装飾ＬＥＤ９２の前方において、奥側レンチキュラーレンズ１１４の方向が変化せしめられると共に、奥側レンチキュラーレンズ１１４の方向と手前側レンチキュラーレンズ１１６の方向が一致したり一致しなかったりすることに起因している。
【００９８】
すなわち、奥側レンチキュラーレンズ１１４のみの場合だと、装飾ＬＥＤ９２の発する光１１８は帯状に見えるようになっているが、本実施形態では、このように帯状に見える装飾ＬＥＤ９２の発する光１１８の前方において、手前側レンチキュラーレンズ１１６が位置せしめられていることにより、帯状に見える装飾ＬＥＤ９２の発する光１１８が、手前側レンチキュラーレンズ１１６の方向に引き延ばされてから遊技者の目に映るようになっている。その結果、奥側レンチキュラーレンズ１１４の方向が手前側レンチキュラーレンズ１１６の方向に対して傾斜せしめられている場合には、装飾ＬＥＤ９２の発する光１１８は平行四辺形のようにみえるのであり、奥側レンチキュラーレンズ１１４の方向が手前側レンチキュラーレンズ１１６の方向に対して直交している場合には、装飾ＬＥＤ９２の発する光１１８は縦長の長方形のようにみえるのであり、奥側レンチキュラーレンズ１１４の方向と手前側レンチキュラーレンズ１１６の方向が一致している場合には、装飾ＬＥＤ９２の発する光１１８は、帯状に見えるのである。
【００９９】
また、装飾ＬＥＤ９２が発する光１１８は、装飾ＬＥＤ９２と奥側レンチキュラーレンズ１１４との離隔距離が変更せしめられることによって、奥側レンチキュラーレンズ１１４の方向に引き延ばされる割合が変更せしめられるようになっている一方、奥側レンチキュラーレンズ１１４と手前側レンチキュラーレンズ１１６との離隔距離が変更せしめられることによって、手前側レンチキュラーレンズ１１６の方向に引き延ばされる割合が変更せしめられるようになっている。従って、装飾ＬＥＤ９２と奥側レンチキュラーレンズ１１４の離隔距離や奥側レンチキュラーレンズ１１４と手前側レンチキュラーレンズ１１６の離隔距離等を適当に調節することによって、装飾ＬＥＤ９２の発する光１１８の見え方が調節されるようになっている。
【０１００】
なお、手前側レンチキュラーレンズ１１６の方向と奥側レンチキュラーレンズ１１４の方向が直交している場合に、装飾ＬＥＤ９２の発する光１１８が縦長の長方形のように見えるのは、手前側レンチキュラーレンズ１１６と奥側レンチキュラーレンズ１１４が離隔位置せしめられていると共に、手前側レンチキュラーレンズ１１６の方向がパチンコ機の上下方向と一致していることに起因する。従って、例えば、奥側レンチキュラーレンズ１１４と手前側レンチキュラーレンズ１１６が密着せしめられているような場合には、装飾ＬＥＤ９２の発する光１１８は略正方形状のように見えるのであり、手前側レンチキュラーレンズ１１６の方向がパチンコ機の左右方向と一致している場合には、装飾ＬＥＤ９２の発する光１１８は横長の長方形状のように見えるのである。
【０１０１】
更にまた、装飾可動部材１１２の回動速度は、装飾ＬＥＤ９２の発する光１１８の見え方が変化する様を遊技者が視認できる程度であれば良い。また、手前側レンチキュラーレンズ１１６の方向は、必ずしも、パチンコ機の上下方向に限定されるものではない。
【０１０２】
このようなパチンコ機においては、電気モータ９６によって装飾可動部材１１２が回動せしめられるようになっていることから、第一の実施形態と同様な効果を得ることができる。
【０１０３】
そこにおいて、本実施形態では、装飾可動部材１１２が回動せしめられることによって、奥側レンチキュラーレンズ１１４の方向が装飾ＬＥＤ９２の前方で変化せしめられると共に、奥側レンチキュラーレンズ１１４の方向が手前側レンチキュラーレンズ１１６の方向と一致したり一致しなかったりすることとなり、それによって、装飾ＬＥＤ９２の発する光１１８が、所定の周期（本実施形態では、奥側レンチキュラーレンズ１１４が１８０度回転するのに要する時間）でもって、滑らかに連続して変化して見えるようになる。その結果、装飾ＬＥＤ９２の発する光を利用した演出のバリエーションを増やすことが可能となるのである。
【０１０４】
また、本実施形態では、遊技者の興味を装飾ＬＥＤ９２の発する光に対して惹きつけることが可能となる。
【０１０５】
特に、装飾可動部材１１２の回動がリーチ状態において行われるようになっている場合には、装飾ＬＥＤ９２の発する光によって、遊技を一層盛り上げることが可能となる。
【０１０６】
また、本実施形態では、装飾ＬＥＤ９２を点滅制御する場合において、装飾ＬＥＤ９２が消灯せしめられている時間と装飾可動部材１１２の回動速度を適当に調節することにより、例えば、装飾ＬＥＤ９２の発する光１１８が、帯状から長方形へと突然に変化せしめられたかの如き印象を遊技者に与えることが可能となり、それによって、装飾ＬＥＤ９２の発する光を用いた演出のバリエーションをより一層増やすことが可能となる。また、装飾ＬＥＤ９２の発する光の色を変化させることによって、装飾ＬＥＤ９２の発する光を用いた演出のバリエーションを更に増やすことが可能となる。
【０１０７】
また、複数の装飾ＬＥＤ９２が近接位置せしめられている場合には、奥側レンチキュラーレンズ１１４の方向に応じて、図２４に示されているように、各装飾ＬＥＤ９２の発する光１１８が重なって見えたり、或いは、図２５に示されているように、各装飾ＬＥＤ９２の発する光１１８が重なって見えなかったりする。この場合、各装飾ＬＥＤ９２の発する光１１８の色を異なるものにしておくことによって、各装飾ＬＥＤ９２の発する光１１８が重なって見える部分において、各装飾ＬＥＤ９２の発する光１１８の色を混ぜ合わせることが可能となり、それによって、装飾ＬＥＤ９２の発する光の見え方のバリエーションを更に増やすことが可能となる。また、装飾ＬＥＤ９２の発する光１１８が長方形や平行四辺形のように見える状態において、各装飾ＬＥＤ９２の発する光が重なって見える部分を有利に確保することが可能となる。因みに、図２４および図２５においては、二つの装飾ＬＥＤ９２の発する光１１８が重なって見える状態が示されている。
【０１０８】
また、図２６には、本発明の第四の実施形態としてのパチンコ機に採用される装飾可動部材５６の要部が示されている。なお、以下の説明において、第一の実施形態と同様な構造とされた部材および部位については、図中に、第一の実施形態と同一の符号を付すことにより、それらの詳細な説明を省略する。
【０１０９】
本実施形態では、装飾可動部材５６に固定されたレンズ７０に対してレンチキュラーレンズ１２０が貼付されている。なお、このレンチキュラーレンズ１２０は、第二の実施形態で採用されていたものと同様な構造とされていることから、その詳細な説明は省略する。
【０１１０】
また、本実施形態では、装飾可動部材５６の前方に設けられたカバー４６によってレンチキュラーレンズ１２０が保護されるようになっている。
【０１１１】
そこにおいて、本実施形態では、レンズ７０が固定された位置にのみレンチキュラーレンズ１２０が設けられていることから、レンチキュラーレンズ１２０の方向に延びて見える装飾ＬＥＤ９２の発する光１２２は、装飾可動部材５６が回動せしめられると、図２７に示されているように、所定角度だけ回動せしめられた後、遊技者の視界から消えるようになっており、再び遊技者によって視認される際には、所定角度回動せしめられる前の位置にあり、かかる位置から再び所定角度回動せしめられるようになっている。
【０１１２】
このような構造とされたパチンコ機においては、装飾可動部材５６が回動せしめられるようになっていることから、第一の実施形態と同様な効果を得ることができる。
【０１１３】
加えて、本実施形態では、装飾回動部材５６の回動に基づいてレンチキュラーレンズ１２０の方向に延ばされて見える装飾ＬＥＤ９２の発する光１２２が動いて見えることから、装飾ＬＥＤ９２の発する光に対して遊技者の興味を惹きつけることが可能となる。
【０１１４】
以上、本発明の幾つかの実施形態について詳述してきたが、これらはあくまでも例示であって、本発明は、かかる実施形態における具体的な記載によって、何等、限定的に解釈されるものではない。
【０１１５】
例えば、前記第一乃至第四実施形態では、リーチ状態が発生した場合に、装飾可動部材５６が回動せしめられるようになっていると共に、複数の装飾ＬＥＤ９２が点灯乃至は点滅せしめられるようになっていたが、例えば、特別図柄表示装置３６において複数の特別図柄の変動が開始される場合や、リーチ状態が発生することを遊技者に対して予告報知する場合、複数の特別図柄が所定の図柄組み合わせで停止する可能性が高いことを遊技者に対して予告報知する場合等、様々な遊技状況の変化に応じて、装飾可動部材５６の回転および複数の装飾ＬＥＤ９２の点灯乃至は点滅を行うようにしても良い。
【０１１６】
また、前記第一の実施形態では、装飾可動部材５６の裏側に位置せしめられるようにして、複数の装飾ＬＥＤ９２が設けられていたが、かかる複数の装飾ＬＥＤ９２は、必ず設けられるものではない。
【０１１７】
さらに、前記第一乃至第四の実施形態では、装飾可動部材５６の外周側に複数の支持ローラ７２ａ〜ｃが位置せしめられていたが、装飾可動部材５６の内周側に複数の支持ローラが位置せしめられていても良い。或いは、装飾可動部材５６における内周壁部６０と外周壁部６２の対向面間に複数の支持ローラを位置せしめるようにしても良い。
【０１１８】
さらに、回動部材の回動方向や速度、発光源の発光の強さ等は、一定であっても良いが、変化をつけることにより、遊技者の興味を惹きつけることが一層容易に可能となり、それによって、遊技をする楽しみを更に向上することが可能となる。
【０１１９】
更にまた、前記第二の実施形態において、装飾ＬＥＤ９２をレンチキュラーレンズ１０６に対して接近／離隔変位せしめるようにしても良い。具体的には、例えば、図２８に示されているように、電気モータ１２４の出力軸に固定された出力ピニオン１２６に噛合せしめられるラック１２８に対して装飾ＬＥＤ９２が実装された基板９４を固定しておき、電気モータ１２４の駆動力がラック１２８に伝達されることで、装飾ＬＥＤ９２がレンチキュラーレンズ１０６に対して接近／離隔方向に変位せしめられる態様が考えられる。この場合、電気モータ１２４，出力ピニオン１２６，ラック１２８を含んで離隔距離変更手段が構成されることとなる。なお、このような離隔距離変更手段は、前記第三および第四の実施形態においても、勿論採用可能である。
【０１２０】
また、前記第二乃至第四の実施形態では、装飾ＬＥＤ９２の発する光は、本来は丸い点状であるとされていたが、三角形や矩形，楕円形等であっても良い。
【０１２１】
加えて、前記実施形態では、第１種パチンコ機に対して本発明を適用したものの一具体例が示されていたが、本発明は、第２種パチンコ機や第３種パチンコ機に対しても適用可能であることは、言うまでもない。
【０１２２】
その他、一々列挙はしないが、本発明は、当業者の知識に基づいて種々なる変更，修正，改良等を加えた態様において実施され得るものであり、また、そのような実施態様が、本発明の趣旨を逸脱しない限り、何れも、本発明の範囲内に含まれるものであることは、言うまでもない。
【図面の簡単な説明】
【０１２３】
【図１】本発明の一実施形態としてのパチンコ機を示す正面図である。
【図２】図１に示されたパチンコ機に採用されているカバーの正面図である。
【図３】図１におけるＩＩＩ−ＩＩＩ方向の断面であって、装飾可動部材が収容空間に収容配置された状態を説明するための断面図である。
【図４】図１におけるＩＶ−ＩＶ方向の断面であって、支持ローラの配設状態を説明するための断面図である。
【図５】図１におけるＶ−Ｖ方向の断面であって、支持ローラの配設状態を説明するための断面図である。
【図６】図１に示されたパチンコ機に採用されている装飾可動部材の正面図である。
【図７】図６におけるＶＩＩ−ＶＩＩ方向の断面であって、レンズが取り付けられている部分を示す断面図である。
【図８】図１におけるＶＩＩＩ−ＶＩＩＩ方向の断面であって、出力ピニオンの配設状態を説明するための断面図である。
【図９】図１に示されたパチンコ機に採用されている電気モータの駆動制御および装飾ＬＥＤの発光制御を説明するためのブロック図である。
【図１０】本発明の第二の実施形態のパチンコ機における要部を示す断面図であって、図１におけるＩＩＩ−ＩＩＩ方向に相当する図面である。
【図１１】レンチキュラーレンズの構造を説明するための断面図である。
【図１２】第二の実施形態において、装飾ＬＥＤが発する光の見え方を説明するための図面である。
【図１３】第二の実施形態において、二つの装飾ＬＥＤの発する光が重なってみえる状態を説明するための図面である。
【図１４】第二の実施形態において、二つの装飾ＬＥＤの発する光が重なっていない状態を説明するための図面である。
【図１５】本発明の第三の実施形態のパチンコ機における要部を示す断面図であって、図１におけるＶ−Ｖ方向に相当する図面である。
【図１６】第三の実施形態において、装飾ＬＥＤが発する光の見え方を説明するための図面であって、手前側レンチキュラーレンズの方向と奥側レンチキュラーレンズの方向が一致している状態での装飾ＬＥＤが発する光の見え方を説明するための図面である。
【図１７】第三の実施形態において、装飾ＬＥＤが発する光の見え方を説明するための図面であって、手前側レンチキュラーレンズの方向に対して奥側レンチキュラーレンズの方向が３０度傾斜している状態での装飾ＬＥＤが発する光の見え方を説明するための図面である。
【図１８】第三の実施形態において、装飾ＬＥＤが発する光の見え方を説明するための図面であって、手前側レンチキュラーレンズの方向に対して奥側レンチキュラーレンズの方向が４５度傾斜している状態での装飾ＬＥＤが発する光の見え方を説明するための図面である。
【図１９】第三の実施形態において、装飾ＬＥＤが発する光の見え方を説明するための図面であって、手前側レンチキュラーレンズの方向に対して奥側レンチキュラーレンズの方向が６０度傾斜している状態での装飾ＬＥＤが発する光の見え方を説明するための図面である。
【図２０】第三の実施形態において、装飾ＬＥＤが発する光の見え方を説明するための図面であって、手前側レンチキュラーレンズの方向に対して奥側レンチキュラーレンズの方向が直交している状態での装飾ＬＥＤが発する光の見え方を説明するための図面である。
【図２１】第三の実施形態において、装飾ＬＥＤが発する光の見え方を説明するための図面であって、手前側レンチキュラーレンズの方向に対して奥側レンチキュラーレンズの方向が１２０度傾斜している状態での装飾ＬＥＤが発する光の見え方を説明するための図面である。
【図２２】第三の実施形態において、装飾ＬＥＤが発する光の見え方を説明するための図面であって、手前側レンチキュラーレンズの方向に対して奥側レンチキュラーレンズの方向が１３５度傾斜している状態での装飾ＬＥＤが発する光の見え方を説明するための図面である。
【図２３】第三の実施形態において、装飾ＬＥＤが発する光の見え方を説明するための図面であって、手前側レンチキュラーレンズの方向に対して奥側レンチキュラーレンズの方向が１５０度傾斜している状態での装飾ＬＥＤが発する光の見え方を説明するための図面である。
【図２４】第三の実施形態において、二つの装飾ＬＥＤの発する光が重なってみえる状態を説明するための図面である。
【図２５】第三の実施形態において、二つの装飾ＬＥＤの発する光が重なっていない状態を説明するための図面である。
【図２６】本発明の第四の実施形態のパチンコ機に採用される可動装飾部材の要部を示す断面図である。
【図２７】第四の実施形態において、装飾ＬＥＤの発する光の見え方を説明するための図面である。
【図２８】離隔距離変更手段の一具体例を説明するための図面である。
【符号の説明】
【０１２４】
１０  パチンコ機
１２  遊技領域
１４  ガラス枠
１６  中枠
１８  外枠
４２  ガラス窓
５６  装飾可動部材
６６  外歯歯車
７２ｂ  支持ローラ
７２ｃ  支持ローラ
８２  電気モータ
８４  出力軸
８８  出力ピニオン
【図１】
2005095566.tif 000003
【図２】
2005095566.tif 000004
【図３】
2005095566.tif 000005
【図４】
2005095566.tif 000006
【図５】
2005095566.tif 000007
【図６】
2005095566.tif 000008
【図７】
2005095566.tif 000009
【図８】
2005095566.tif 000010
【図９】
2005095566.tif 000011
【図１０】
2005095566.tif 000012
【図１１】
2005095566.tif 000013
【図１２】
2005095566.tif 000014
【図１３】
2005095566.tif 000015
【図１４】
2005095566.tif 000016
【図１５】
2005095566.tif 000017
【図１６】
2005095566.tif 000018
【図１７】
2005095566.tif 000019
【図１８】
2005095566.tif 000020
【図１９】
2005095566.tif 000021
【図２０】
2005095566.tif 000022
【図２１】
2005095566.tif 000023
【図２２】
2005095566.tif 000024
【図２３】
2005095566.tif 000025
【図２４】
2005095566.tif 000026
【図２５】
2005095566.tif 000027
【図２６】
2005095566.tif 000028
【図２７】
2005095566.tif 000029
【図２８】
2005095566.tif 000030